(57)【要約】
【課題】歯ブラシの柄に、切れ目を有するリングを外側からはめこむことによって、歯ブラシの所有者を容易に識別できる識別用リングを有する歯ブラシを提供する。　　　　
【解決手段】一定の厚みと幅を有し、弾性を有する材料から作られた帯状リングで、中央には切れ目を有し、さらに歯ブラシの柄に密着できる断面形状を有するリングを歯ブラシの柄の外側から簡単にはめこむことによって装着し、リングのもつ色やリング表面に描かれた数字、文字、記号あるいは模様等により、あるいはリング表面に取り付けられた花や動物やキャラクターのアクセサリ−等により、歯ブラシの使用者を容易に識別し、衛生的な歯ブラシの保管ならびに歯磨きの習慣付けを行うことができる歯ブラシ。
【選択図】     図２
0003100116.tif 000002
【実用新案登録請求の範囲】
【請求項１】
　　一定の幅を有する帯状リングで、リング断面が歯ブラシの柄に密着できる形状であり、さらにリング中央に切れ目を有する構造で、歯ブラシの柄に簡単に装着できることを特徴とする識別用リング及び歯ブラシ。
【請求項２】
　　中央の切れ目の端を内側に曲げた形状で、材質のもつ弾性により発生する力により、　歯ブラシの柄を曲げ部が押さえることによって装着する力を高めることを特徴とする請求項１記載の識別用リング及び歯ブラシ。
【請求項３】
　　識別用リングが歯ブラシの柄の上で簡単に上下にずれてしまわないようにするために、歯ブラシの柄の表面に凹部または穴部を設け、一方リング側には凸部（突起物）を設けることによって識別リングの装着をより強固にしたことを特徴とする請求項１記載の識別用リング及び歯ブラシ。
【請求項４】
　　識別用リングが歯ブラシの柄の上を簡単に上下にずれてしまわないようにするために、歯ブラシの柄の表面に凸部（突起物）を設け、一方リング側には穴部を設けることによって識別リングの装着をより強固にしたことを特徴とする請求項１記載の識別用リング及び歯ブラシ。
【請求項５】
識別用リングが歯ブラシの柄の上を簡単に上下にずれてしまわないようにするために、歯ブラシの柄の表面に凹部を設け、この凹部にリングの切れ目の曲げ部がはめこまれるようにしたことを特徴とする請求項２記載の識別用リング及び歯ブラシ。
【請求項６】
　　リングの表面に、花や動物あるいはキャラクター等のアクセサリーを取り付けることによって識別力をつけたことを特徴とする請求項１または２または３または４または５記載の識別用リング及び歯ブラシである。
【考案の詳細な説明】
【技術分野】
【０００１】
本考案は、使用者を識別するためのリング及びリングを装着した歯ブラシに関する。
【背景技術】
【０００２】
従来、家族や同居人あるいは友人グループ内等で同一場所に歯ブラシを保管してある場合、あるいは家族旅行等で旅先宿泊所で洗面台に歯ブラシを保管する場合、使用時に歯ブラシが誰のものであるか直ちに識別ができなくなることがあり、確認に戸惑うことがあった。この点に関して、各家庭での対策を調査してみると、家族内では歯ブラシの柄の色が異なるものを使用することによって所持者を識別している例が多い。しかしながら、市販の歯ブラシの柄の色の種類は限られており、家族人数分の異なる色を購入することは難しい。また、同じ色を好む者がいた場合には、やむを得ず嫌いな色の歯ブラシを使っている事例が少なくない。
【考案の開示】
【考案が解決しようとする課題】
【０００３】
　　このために次のような問題点があった。
　（イ）歯ブラシが自分のものであるか他人のものであるか区別できないために、時間を浪費することが多かった。
　（ロ）自分の歯ブラシが誤って他人に使用される恐れもあり、不快感や、衛生面で不安を感じることがあった。
（ハ）子供の場合、取り違えて使用することが多く、歯周病やエイズ等の予防面で好ましくないので改善が求められていた。
　　　本考案は、これらの問題点を解決するためになされたものである。
　　　そこで本考案に係る識別用リング及びこのリングを装着する歯ブラシは、使用者に容易に自分の歯ブラシであることを識別させることを可能にし、歯磨きを気持ちよくできる習慣をつけ、歯周病やエイズ等の病気の伝染を防ぐことができることを目的としている。
【課題を解決するための手段】
【０００４】
　　上記目的を達成するために、請求項１記載の考案の手段は、一定の幅を有する帯状リング（１）で、リング断面が歯ブラシの柄（２）に密着できる形状であり、さらにリング中央に切れ目（３）を有する構造で、歯ブラシの柄に簡単に装着できることを特徴とする識別用リング及び歯ブラシである。
【０００５】
　　この切れ目がついていることで、リングはその材質（弾力性のある合成樹脂またはゴムまたは金属等）のもつ弾性により発生する力で、歯ブラシの柄に一定の圧力で装着できる仕組みになっている。
【０００６】
　　また、リングの色は、リングの材質が合成樹脂やゴム等である場合には、材質自体が赤、青、緑、黄、ピンク等の色を有するものを使用して識別力をつけている。また、金属等であれば、表面に色を塗装することによって識別力をつける。
【０００７】
また、識別力をリングの色ではなく、リングの表面に異なる数字や文字、名前、絵文字、あるいはさまざまな記号や模様等をつけることによって識別力をつけてもよい。
【０００８】
　　請求項２記載の考案は、請求項１の考案のリング（１）で、中央の切れ目の端を内側に曲げた形状で、リングの材質のもつ弾性により発生する力により歯ブラシの柄（２）を曲げ部（４）が押さえることによって装着する力を高めることを特徴とする識別用リング及び歯ブラシである。
【０００９】
　　請求項３記載の考案は、請求項１の識別用リング（１）が歯ブラシの柄の上を簡単に上下にずれてしまわないようにするために、歯ブラシの柄の表面に凹部または穴部（６）を設け、一方リング側には凸部（突起物）（５）を設けることによって識別リング（１）の装着をより強固にしたことを特徴とする識別用リング及び歯ブラシである。
【００１０】
　　請求項４記載の考案は、請求項１の識別用リングが歯ブラシの柄の上で簡単に上下にずれてしまわないようにするために、歯ブラシの柄の表面に凸部（突起物）（８）を設け、一方リング側には穴部（７）を設けることによって識別リングの装着をより強固にしたことを特徴とする識別用リング及び歯ブラシである。
【００１１】
請求項５の考案は、請求項２の識別用リング（１）が歯ブラシの柄（２）の上を簡単に上下にずれてしまわないようにするために、歯ブラシの柄の表面に凹部（６）を設け、この凹部にリングの切れ目の曲げ部（４）がはめこまれるようにしたことを特徴とする識別用リング及び歯ブラシである。
【００１２】
　　請求項６記載の考案は、請求項１または２または３または４または５のリング表面に、花（８）や動物（９）あるいはキャラクター等のアクセサリーを取り付けることによって識別力をつけたことを特徴とする識別用リング及び歯ブラシである。
【考案の効果】
【００１３】
　　本考案を使用することによって、以下に示すような効果が生まれる。
　（イ）本考案の識別用リングを装着すれば、毎朝、歯ブラシを迷うことなく選び出すことができ、家族生活において不便さが軽減できる。
　（ロ）また、本考案の識別用リングを装着すれば、家族間で歯ブラシの取り違えによって生じる歯周病菌の感染やエイズの伝染等を防ぐことができるので、医学的見地からも大変有用になる。
　（ハ）また、本考案の識別用リングを装着すれば、家族で連携して歯磨きの習慣づけを行う環境ができるので、とりわけ子供達の歯磨きの習慣化に寄与できる。
　（ニ）さらに、動物やキャラクター等の目印のついた本考案のリングを使用すれば、歯ブラシへの愛着もわき、子供等の歯磨きの習慣化が醸成できる。
　（ホ）本考案の識別用リングは、構造が単純なので、安価で量産が可能である。また、　　　　さまざまな柄の断面の歯ブラシに装着可能であるので汎用性が高い。
（ヘ）本考案の識別用リングは、歯ブラシが古くなった場合、リングの部分だけをはずして、新たに購入した歯ブラシの柄に装着できるので、リサイクル使用が可能である。
（ト）本考案の識別用リングは、リングの表面に会社名や歯科医院名を記入できるので宣伝効果がある
【考案を実施するための最良の形態】
【００１４】
以下、本考案の実施の形態について図１〜１８を使って説明する。
図１は、請求項１の識別用リングの斜視図である。（１）はリング本体。（３）は切れ目。
　　図２（a）は、請求項１のリング（１）を歯ブラシ（２）へ装着した状態を歯ブラシの表側から見た斜視図。図２（ｂ）は、請求項１のリング（１）を装着した歯ブラシ（２）の状態を裏側からみた斜視図である。
図３は、請求項２の識別用リングの斜視図である。（４）は曲げ部。
　　図４（ａ）は、請求項２のリング （１）を歯ブラシ（２）へ装着した状態を歯ブラ　シの表側から見た斜視図。図４（ｂ）は、請求項２の識別リング（１）を装着した歯ブラシ（２）の状態を裏側から見た斜視図である。
　  図５は、請求項３の識別用リングの斜視図である。（５）はリング側の突起部。
　　図６（ａ）は、柄の裏側に凹部（６）を設けてある請求項３の歯ブラシの斜視図である。
　　図６（ｂ）は、請求項３の識別用リング（１）を歯ブラシ（２）に装着した状態を歯ブラシ裏側から見た斜視図である。
図７は、請求項４の識別用リングの斜視図である。（７）はリング側の穴部。
　　図８（ａ）は、柄の裏側に凸部（８）を設けてある請求項４の歯ブラシの斜視図である。図８（ｂ）は、請求項４の識別用リング（１）を歯ブラシ（２）に装着した状態を歯ブラシ裏側から見た斜視図である。
図９は、請求項５の識別用リングの斜視図である。図１０（ａ）は柄の裏側に凹部（６）を設けてある請求項５の歯ブラシの斜視図である。図１０（ｂ）は請求項５の識別リング（１）を歯ブラシ（２）に装着した様子を歯ブラシ裏側から見た斜視図。
図１１は、請求項６の識別用リングで、表面に花のアクセサリ−（９）を取り付けた状態の斜視図である。
図１２は、表面に花のアクセサリ−を取り付けた請求項６の識別用リング（１）を歯ブラシ（２）に装着した状態を示す斜視図である。
　　図１３は、請求項６の識別用リングで、表面に動物のアクセサリー（１０）を取り付けた状態の斜視図である。
　　図１４は、表面に動物のアクセサリーを取り付けた請求項６の識別用リング（１）を歯ブラシ（２）に装着した状態を示す斜視図である。
【実施例１】
【００１５】
図１５は、他の実施例１を示す図で、リング（１）の切れ目の端が互いに重なるようになっている形状（１１）を持つの請求項１の識別用リングである。
　 図１６（ａ）（ｂ）は、他の実施例１のリングが装着されている状態を示す斜視図で、それぞれ歯ブラシの表側と裏側から見た斜視図である。
【実施例２】
【００１６】
図１７は、リングの切れ目の端が外側に曲げを入った形状（１２）を持つの請求項１の識別用リング。
図１８（ａ）（ｂ）は、実施例２のリングが装着されている状態を示す斜視図で、それぞれ歯ブラシの表側と裏側から見た斜視図である。
【図面の簡単な説明】
【００１７】
【図１】請求項１の識別用リング
【図２】請求項１の識別用リングの使用状態を示す斜視図
【図３】請求項２の識別用リング
【図４】請求項２の識別用リングの使用状態を示す斜視図
【図５】請求項３の識別用リング
【図６】請求項３の識別用リングの使用状態を示す斜視図
【図７】請求項４の識別用リング
【図８】請求項４の識別用リングの使用状態を示す斜視図
【図９】請求項５の識別用リング
【図１０】請求項５の識別用リングの使用状態を示す斜視図
【図１１】請求項６の識別用リング
【図１２】請求項６の識別用リングの使用状態を示す斜視図
【図１３】請求項６の識別用リング
【図１４】請求項６のついた識別用リングの使用状態を示す斜視図
【図１５】他の実施例１の識別用リングを示す斜視図
【図１６】他の実施例１の識別用リングの使用状態を示す斜視図
【図１７】他の実施例２の識別用リングを示す斜視図
【図１８】他の実施例２の識別用リングの使用状態を示す斜視図
【符号の説明】
【００１８】
１  識別用リング
２  歯ブラシの柄
３　切れ目
４　内側への曲げ部
５　リング側の突起部
６　歯ブラシの柄側の凹部
７　リング側の穴部
８　歯ブラシの柄側の突起部
　　　　　９　花のアクセサリ−
１０  動物のアクセサリ−
１１　重なりのある切れ目
１２　外側への曲げ部
【図１】
0003100116.tif 000003
【図２】
0003100116.tif 000004
【図３】
0003100116.tif 000005
【図４】
0003100116.tif 000006
【図５】
0003100116.tif 000007
【図６】
0003100116.tif 000008
【図７】
0003100116.tif 000009
【図８】
0003100116.tif 000010
【図９】
0003100116.tif 000011
【図１０】
0003100116.tif 000012
【図１１】
0003100116.tif 000013
【図１２】
0003100116.tif 000014
【図１３】
0003100116.tif 000015
【図１４】
0003100116.tif 000016
【図１５】
0003100116.tif 000017
【図１６】
0003100116.tif 000018
【図１７】
0003100116.tif 000019
【図１８】
0003100116.tif 000020
【手続補正書】
【提出日】平成15年10月6日(2003.10.6)
【手続補正１】
【補正対象書類名】実用新案登録請求の範囲
【補正対象項目名】全文
【補正方法】変更
【補正の内容】
【実用新案登録請求の範囲】
【請求項１】
　　一定の厚みと幅を有し、弾性を有する材料から作られた帯状リングで、リング断面が歯ブラシの柄に密着できる形状であり、さらにリング中央に切れ目を有する構造で、歯ブラシの柄に外側からはめ込むことによって簡単に装着できる識別用リングを備えたことを特徴とする歯ブラシ。
【請求項２】
　　リング中央の切れ目の端を内側に曲げた形状で、材質のもつ弾性により発生する力により、歯ブラシの柄をこの曲げ部の端面が押さえることによって装着する力を高めた識別用リングを備えたことを特徴とする請求項１記載の歯ブラシ。
【請求項３】
　　識別用リングが歯ブラシの柄の上を簡単に上下にずれてしまわないようにするために、歯ブラシの柄の表面に凹部または穴部を設け、一方リング側には凸部（突起物）を設けることによって識別リングの装着をより強固にした識別用リングを備えたことを特徴とする請求項１記載の歯ブラシ。
【請求項４】
　　識別用リングが歯ブラシの柄の上を簡単に上下にずれてしまわないようにするために、歯ブラシの柄の表面に凸部（突起物）を設け、一方リング側には穴部を設けることによって識別リングの装着をより強固にした識別用リングを備えたことを特徴とする請求項１記載の歯ブラシ。
【請求項５】
識別用リングが歯ブラシの柄の上を簡単に上下にずれてしまわないようにするために、歯ブラシの柄表面に凹部を設け、この凹部に識別リングの切れ目の曲げ部がはめこまれるようにしたことを特徴とする請求項２記載の歯ブラシ。
【請求項６】
　　リングの表面に、花や動物あるいはキャラクター等のアクセサリーを取り付けることによって識別力を高めた識別リングを備えたことを特徴とする請求項１または２または３または４または５記載の歯ブラシである。
【手続補正２】
【補正対象書類名】明細書
【補正対象項目名】全文
【補正方法】変更
【補正の内容】
【考案の詳細な説明】
【技術分野】
【０００１】
本考案は、使用者を識別するための識別用リングを装着した歯ブラシに関する。
【背景技術】
【０００２】
従来、家族や同居人あるいは友人グループ内等で同一場所に歯ブラシを保管してある場合、あるいは家族旅行等で旅先宿泊所で洗面台に歯ブラシを保管する場合、使用時に歯ブラシが誰のものであるか直ちに識別ができなくなることがあり、確認に戸惑うことがあった。この点に関して、各家庭での対策を調査してみると、家族内では歯ブラシの柄の色が異なるものを使用することによって所持者を識別している例が多い。しかしながら、市販の歯ブラシの柄の色の種類は限られており、家族人数分の異なる色を購入することは難しい。また、同じ色を好む者がいた場合には、やむを得ず嫌いな色の歯ブラシを使っている事例が少なくない。
　一方、市販の歯ブラシでは、とりわけ電動歯ブラシでは、ブラシアタッチメントと本体との接合部に有色のリングをはめこんで、識別機能を持たせている例が見られる。しかしながら、この場合、リングは防水機能が目的のためにリングの断面は輪ゴムなみに細く、識別機能は十分とはいえない。
【特許文献１】実開平０６−４１５３８
【特許文献２】実願平１１−８８６９
【非特許文献１】サンヨ−総合カタログ、２００３年５月発行、ｐ８、電動歯ブラシ（スペア歯ブラシＮＴＢＳ−Ｋ１用色分けリング）
【考案の開示】
【考案が解決しようとする課題】
【０００３】
　　このために次のような問題点があった。
　（イ）歯ブラシが自分のものであるか他人のものであるか区別できないために、時間を浪費することが多かった。
　（ロ）自分の歯ブラシが誤って他人に使用される恐れもあり、不快感や、衛生面で不安を感じることがあった。
（ハ）子供の場合、取り違えて使用することが多く、歯周病やエイズ等の予防面で好ましくないので改善が求められていた。
　　　本考案は、これらの問題点を解決するためになされたものである。
　　　そこで本考案に係る識別用リング及びこのリングを装着する歯ブラシは、一般の歯ブラシに簡単に装着でき、しかも使用者に容易に自分の歯ブラシであることを識別させることを可能にし、歯磨きを気持ちよくできる習慣をつけ、歯周病やエイズ等の病気の伝染を防ぐことができることを目的としている。
【課題を解決するための手段】
【０００４】
　　上記目的を達成するために、請求項１記載の考案の手段は、一定の厚さと幅を有する帯状リング（１）で、リング断面が歯ブラシの柄（２）に密着できる形状であり、さらにリング中央に切れ目（３）を有する構造で、歯ブラシの柄に外側からはめこむことによって簡単に装着できる識別用リングを備えたことを特徴とする歯ブラシである。
【０００５】
　この切れ目がついていることで、識別リング（１）は、簡単に形状を変形させ開くことができ、その材質（弾力性のある合成樹脂またはゴムまたは金属等）のもつ弾性により発生する力で、歯ブラシの柄（２）に外側から一定の圧力で装着できる仕組みになっている　　　　
【０００６】
　　また、識別リングの色は、リングの材質が合成樹脂やゴム等である場合には、材質自体が赤、青、緑、黄、ピンク等の色を有するものを使用して識別力をつけている。また、金属等であれば、表面に色を塗装することによって識別力をつける。
【０００７】
また、識別力をリングの色ではなく、リングの表面に異なる数字や文字、名前、絵文字、あるいはさまざまな記号や模様等をつけることによって識別力をつけてもよい。
【０００８】
　　請求項２記載の考案は、請求項１の考案のリング（１）で、中央の切れ目の端を内側に曲げた形状で、リングの材質のもつ弾性により発生する力により歯ブラシの柄（２）の表面を曲げ部（４）の端面が押さえることによって装着する力を高めた識別用リングを備えたことを特徴とする歯ブラシである。
【０００９】
　　請求項３記載の考案は、請求項１の識別用リング（１）が歯ブラシの柄（２）の上を簡単に上下にずれてしまわないようにするために、歯ブラシの柄の表面に凹部または穴部（６）を設け、一方リング側には凸部（突起物）（５）を設けることによって装着をより強固にした識別用リングを備えたことを特徴とする歯ブラシである
【００１０】
　　請求項４記載の考案は、請求項１の識別用リングが歯ブラシの柄（２）の上を簡単に上下にずれてしまわないようにするために、歯ブラシの柄の表面に凸部（突起物）（８）を設け、一方リング側には穴部（７）を設けることによって装着をより強固にした識別用リングを備えたことを特徴とする歯ブラシである。
【００１１】
請求項５の考案は、請求項２の識別用リング（１）が歯ブラシの柄（２）の上を簡単に上下にずれてしまわないようにするために、歯ブラシの柄（２）の表面に一定の長さの凹部（６）を設け、この凹部（６）にリングの切れ目の曲げ部（４）がはめこまれるようにした識別用リングを備えたことを特徴とする歯ブラシである。
【００１２】
　　請求項６記載の考案は、請求項１または２または３または４または５のリング表面に、花（９）や動物（１０）あるいはキャラクター等のアクセサリーを取り付けることによって識別力を高めた識別用リングを備えたことを特徴とする歯ブラシである。
【考案の効果】
【００１３】
　　本考案を使用することによって、以下に示すような効果が生まれる。
　（イ）本考案の識別用リングを備えた歯ブラシを使用すれば、毎朝、歯ブラシを迷うことなく選び出すことができ、家族生活において不便さが軽減できる。
　（ロ）また、本考案の識別用リングを備えた歯ブラシを使用すれば、家族間で歯ブラシの取り違えによって生じる歯周病菌の感染やエイズの伝染等を防ぐことができるので、医学的見地からも大変有用になる。
　（ハ）また、本考案の識別用リングを備えた歯ブラシを使用すれば、家族で連携して歯磨きの習慣づけを行う環境ができるので、とりわけ子供達の歯磨きの習慣化に寄与できる。
　（ニ）さらに、本考案の動物やキャラクター等の目印のついた識別リングを備えた歯ブラシを使用すれば、歯ブラシへの愛着もわき、子供等の歯磨きの習慣化が醸成できる。
　（ホ）本考案の識別用リングは、構造が単純なので、安価で量産が可能である。また、　　　　さまざまな形状の柄の断面を持つ歯ブラシに装着可能であるので汎用性が高い。
（ヘ）本考案の識別用リングは、歯ブラシが古くなった場合、リングの部分だけをはずして、新たに購入した歯ブラシの柄に装着できるので、リサイクル使用が可能である。
（ト）本考案の識別用リングは、リングの表面に会社名や歯科医院名を記入できるので宣伝効果がある。
【考案を実施するための最良の形態】
【００１４】
以下、本考案の実施の形態について図１〜１８を使って説明する。
図１は、請求項１の識別用リングの斜視図である。（１）はリング本体。（３）は切れ目。この切れ目が歯ブラシの柄の識別用リングへのはめ込み口となる。
　　図２（a）は、請求項１の識別用リング（１）を歯ブラシの柄（２）へ装着した状態を歯ブラシの表側から見た斜視図。図２（ｂ）は、請求項１のリング（１）を装着した歯ブラシの柄（２）の状態を裏側からみた斜視図である。
図３は、請求項２の識別用リング（１）の斜視図である。（４）は曲げ部。
　　図４（ａ）は、請求項２の識別用リング （１）を歯ブラシの柄（２）へ装着した状態を歯ブラシの表側から見た斜視図。図４（ｂ）は、請求項２の識別用リング（１）を装着した歯ブラシの柄（２）の状態を裏側から見た斜視図である。
　  図５は、請求項３の識別用リングの斜視図である。（５）はリング側の突起部。
　　図６（ａ）は、柄の裏側に凹部（６）を設けてある請求項３の歯ブラシの斜視図である。
　　図６（ｂ）は、請求項３の識別用リング（１）を歯ブラシの柄（２）に装着した状態を歯ブラシ裏側から見た斜視図である。
図７は、請求項４の識別用リングの斜視図である。（７）はリング側の穴部。
　　図８（ａ）は、柄の裏側に凸部（８）を設けてある請求項４の歯ブラシの斜視図である。図８（ｂ）は、請求項４の識別用リング（１）を歯ブラシの柄（２）に装着した状態を歯ブラシ裏側から見た斜視図である。
図９は、請求項５の識別用リングの斜視図である。図１０（ａ）は柄の裏側に一定の長さの凹部（６）を設けてある請求項５の歯ブラシの斜視図である。図１０（ｂ）は請求項５の識別リング（１）を歯ブラシの柄（２）に装着した様子を歯ブラシ裏側から見た斜視図。
図１１は、請求項６の識別用リングで、表面に花のアクセサリ−（９）を取り付けた状態の斜視図である。
図１２は、表面に花のアクセサリ−を取り付けた請求項６の識別用リング（１）を歯ブラシの柄（２）に装着した状態を示す斜視図である。
　　図１３は、請求項６の識別用リングで、表面に動物のアクセサリー（１０）を取り付けた状態の斜視図である。
　　図１４は、表面に動物のアクセサリーを取り付けた請求項６の識別用リング（１）を歯ブラシの柄（２）に装着した状態を示す斜視図である。
【実施例１】
【００１５】
図１５は、他の実施例１を示す図で、識別用リング（１）の切れ目の端が互いに重なるようになっている形状（１１）を持つの請求項１の識別用リングである。
　 図１６（ａ）（ｂ）は、他の実施例１の識別用リング（１）が装着されている状態を示す斜視図で、それぞれ歯ブラシの表側と裏側から見た斜視図である。
【実施例２】
【００１６】
図１７は、他の実施例２を示す図で、識別用リング（１）の切れ目の端が外側に曲げが入った形状（１２）を持つの請求項１の識別用リング。この曲げ部（１２）が案内になり歯ブラシの柄がリングの内側に入りやすくなる効果がある。
図１８（ａ）（ｂ）は、実施例２の識別用リング（１）が歯ブラシの柄（２）に装着した状態を示す斜視図で、それぞれ歯ブラシの表側と裏側から見た斜視図である。
【図面の簡単な説明】
【００１７】
【図１】請求項１の識別用リング
【図２】請求項１の識別用リングを装着した歯ブラシの状態を示す斜視図
【図３】請求項２の識別用リング
【図４】請求項２の識別用リングを装着した歯ブラシの状態を示す斜視図
【図５】請求項３の識別用リング
【図６】請求項３の識別用リングを装着した歯ブラシの状態を示す斜視図
【図７】請求項４の識別用リング
【図８】請求項４の識別用リングを装着した歯ブラシの状態を示す斜視図
【図９】請求項５の識別用リング
【図１０】請求項５の識別用リングを装着した歯ブラシの状態を示す斜視図
【図１１】請求項６の識別用リング
【図１２】請求項６の識別用リングを装着した歯ブラシの状態を示す斜視図
【図１３】請求項６の識別用リング
【図１４】請求項６の識別用リングを装着した歯ブラシの状態を示す斜視図
【図１５】他の実施例１の識別用リングを示す斜視図
【図１６】他の実施例１の識別用リングを装着した歯ブラシの状態を示す斜視図
【図１７】他の実施例２の識別用リングを示す斜視図
【図１８】他の実施例２の識別用リングを装着した歯ブラシの状態を示す斜視図
【符号の説明】
【００１８】
１  識別用リング
２  歯ブラシの柄
３　切れ目
４　内側への曲げ部
５　リング側の突起部
６　歯ブラシの柄側の凹部
７　リング側の穴部
８　歯ブラシの柄側の突起部
　　　　　９　　花のアクセサリ−
１０  動物のアクセサリ−
１１　重なりのある切れ目
１２　外側への曲げ部